(57)【要約】【課題】容易に文字サイズ等の印刷条件を変更して書籍を印刷することが可能な印刷システムを提供する。【解決手段】サーバ５は、第１のスタイルシート１９を予めデータベース１５に用意する。サーバ５は、ネットワーク３を介してクライアントコンピュータ７からテキストデータ１１、画像データ１３を受信するとＸＭＬデータ１７に変換し、データベース１５に保存する。サーバ５は、第１のスタイルシート１９を用いて、クライアントコンピュータ７で選択されたフォントサイズに対応する第２のスタイルシート１９ａを生成する。組版システム２１は、ＸＭＬデータ１７と第２のスタイルシート１９ａを組版データに変換し、印刷機２３に送る。印刷機２３は、受信した組版データを印刷、製本し、書籍２５を作成する。【選択図】  図１
2004288096.tif 000002
【特許請求の範囲】
【請求項１】
クライアントコンピュータとサーバとがネットワークで接続され、前記サーバに組版システムおよび印刷機が接続された印刷システムであって、
前記クライアントコンピュータは、前記サーバに書籍の原データおよび文字サイズ、印刷部数を指示し、
前記サーバは、前記原データからＸＭＬデータを生成し、
前記組版システムは、前記ＸＭＬデータとスタイルシートに基づいて組版データを生成し、
前記印刷機は、前記組版データを用いて前記印刷部数の書籍を印刷することを特徴とする印刷システム。
【請求項２】
前記原データは、テキストデータおよび／または画像データであることを特徴とする請求項１記載の印刷システム。
【請求項３】
前記スタイルシートは、前記文字サイズに応じたものであることを特徴とする請求項１記載の印刷システム。
【発明の詳細な説明】
【０００１】
【発明の属する技術分野】
本発明は印刷システムに関するものであり、特に、ネットワークを介して接続されたユーザ端末から印刷条件を指定し、印刷用の原データからスタイルシートを用いて複数の印刷用データを作成し、書籍を印刷するための印刷システムに関する。
【０００２】
【従来の技術】
弱視者向けの大活字本等の特殊形態の書籍を印刷、加工する方法として、印刷会社等の受注者側で予め登録したフォントサイズ、文字間隔等の印刷情報の中から、発注者が適切な印刷情報を選択し、ネットワーク等を介して受注者側に指示することにより、受注者側が指定された印刷情報で書籍を印刷するという方法がある。（例えば、特許文献１参照。）
【０００３】
【特許文献１】
特開２００２−１７００１３号公報
【０００４】
【発明が解決しようとする課題】
しかしながら、上記の方法では、書籍が発注される毎に、指定されたフォントサイズ等のためのテンプレートを作成して、原データとなるテキストデータ、画像データ等から組版データを生成し、校正を行う必要がある。
【０００５】
本発明は、このような問題に鑑みてなされたもので、その目的とするところは容易に文字サイズ等の印刷条件を変更して書籍を印刷することが可能な印刷システムを提供することである。
【０００６】
【課題を解決するための手段】
前述した目的を達成するために本発明は、クライアントコンピュータとサーバとがネットワークで接続され、サーバに組版システムおよび印刷機が接続された印刷システムであって、クライアントコンピュータはサーバに書籍の原データおよび文字サイズ、印刷部数を指示し、サーバは原データからＸＭＬ（ｅＸｔｅｎｓｉｂｌｅ  Ｍａｒｋｕｐ  Ｌａｎｇｕａｇｅ）データを生成し、組版システムはＸＭＬデータとスタイルシートに基づいて組版データを生成し、印刷機は組版データを用いて印刷部数の書籍を印刷する印刷システムである。
【０００７】
原データは、出版社等のデータベースに保持されている書籍のデータで、テキストデータ、画像データから構成されている。スタイルシートは、書籍の原データから生成したＸＭＬデータを印刷する際のフォーマットを決定するもので、ＸＳＬＴ（ＸＭＬ  Ｓｔｙｌｅｓｈｅｅｔ  Ｌａｎｇｕａｇｅ  Ｔｒａｎｓｆｏｒｍ）あるいはＣＳＳ（Ｃａｓｃａｄｉｎｇ  Ｓｔｙｌｅ  Ｓｈｅｅｔ）等で構成されている。ＸＭＬデータおよびスタイルシートは、印刷会社等に設置されるサーバで保持される。このスタイルシートは、書籍の文字サイズ等を指定することが可能である。書籍の文字サイズや印刷部数等を指定する要求は、インターネットのようなネットワークを介してサーバに接続されたクライアントコンピュータから送られる。クライアントコンピュータは、出版社等に設置される。サーバは、標準で印刷する書籍の文字サイズに対応する第１のスタイルシートを予めデータベースに用意する。
【０００８】
ネットワークを介してサーバに接続されたコンピュータが文字サイズ等を指定して書籍の印刷を要求する場合、クライアントコンピュータがサーバに所定の文字サイズ、印刷部数等を要求する。サーバは、第１のスタイルシートを用いて、受信した文字サイズ等に対応する第２のスタイルシートを生成し、生成した第２のスタイルシートと印刷する書籍に対応するＸＭＬデータを組版システムに与える。組版システムは、第２のスタイルシートとＸＭＬデータから組版データを生成し、印刷機が生成した組版データを用いて書籍を印刷する。
【０００９】
文字サイズを指定して印刷する書籍は、第１のスタイルシートから生成した第２のスタイルシートを用いて、ＸＭＬデータを変換して組版データを生成するため、書籍の文字サイズを変更して印刷する場合も、文字サイズを変更したスタイルシートを作成するだけで、容易に組版データを生成することが可能である。
【００１０】
【発明の実施の形態】
以下、図面に基づいて本発明の実施の形態を詳細に説明する。図１は、本発明の１実施の形態に係る印刷システムの概略構成図、図２は、印刷システムの書籍印刷における動作を示すフローチャートである。
【００１１】
図１に示すように、本発明に係る印刷システム１は、書籍の印刷を行う印刷会社４等に設置されたサーバ５、出版社６に設置されたクライアントコンピュータ７等が、ネットワーク３を介して接続される。ネットワーク３は、インターネット等のネットワークである。
【００１２】
サーバ５は、ページのＸＭＬデータ１７とスタイルシート１９を有するデータベース１５を有する。
【００１３】
クライアントコンピュータ７は、例えば出版社６等に設置されるコンピュータである。クライアントコンピュータ７は、サーバ５に書籍２５の印刷を指示する場合、ネットワーク３を介してサーバ５と通信を行う。
【００１４】
組版システム２１は、サーバ５に接続されているパーソナルコンピュータ等で、自動組版アプリケーションを実装している。組版システム２１は、サーバ５から受信したＸＭＬデータ１７およびスタイルシート１９を用いて、ＰｏｓｔＳｃｒｉｐｔあるいはＰＤＦ（Ｐｏｒｔａｂｌｅ  Ｄｏｃｕｍｅｎｔ  Ｆｏｒｍａｔ）等の組版データを生成し、印刷機２３に渡す。
【００１５】
印刷機２３は、組版システム２１から受信した組版データを用いて印刷する。その後、製本処理等が行われ書籍２５が作成される。
【００１６】
ＸＭＬデータ１７は、書籍２５の原データとなるＸＭＬ文書で、ヘッダ部分で印刷するフォントサイズを指定するスタイルシート１９のファイル名を指定している。書籍２５のフォントサイズを変更して印刷しようとする場合、組版システム２１は、スタイルシート１９を用いて印刷するフォントサイズに対応するスタイルシート１９ａを生成し、生成したスタイルシート１９ａを用いて、ＸＭＬデータ１７を組版データに変換し、印刷機２３に渡す。
【００１７】
スタイルシート１９は、ＸＳＬＴあるいはＣＳＳ等のスタイルシートのための言語で記述されている。スタイルシート１９は、所定のフォントサイズで書籍を印刷するためのスタイルシートである。
【００１８】
次に、図２を参照しながら、本発明に係る印刷システム１の動作を説明する。図２は、印刷システム１の書籍２５印刷における動作を示すフローチャートである。
【００１９】
印刷会社４のサーバ５は、書籍２５を所定のフォントサイズで印刷するためのスタイルシート１９をデータベース１５内に保持している。
【００２０】
出版社６のクライアントコンピュータ７から書籍２５の印刷を指示する場合、ユーザはクライアントコンピュータ７の端末の管理画面からログイン等して、データベース９にアクセスし、印刷しようとしている書籍２５に対応するテキストデータ１１、画像データ１３を読み出す（ステップ１０１）。データベース９へのアクセスは、管理用のユーザ名、パスワードが入力されると許可するようにしてもよい。
【００２１】
ユーザは、クライアントコンピュータ７の端末の管理画面から、書籍２５のフォントサイズ、印刷部数を入力して指定する（ステップ１０２）。フォントサイズおよび印刷部数は、任意の数字を入力するようにしてもよいし、あるいは、プルダウンメニュー等で選択可能な数字を表示し、マウス等の入力装置をクリックすることにより選択するようにしてもよい。
【００２２】
クライアントコンピュータ７は、データベース９から読み出したテキストデータ１１、画像データ１３、指定されたフォントサイズおよび印刷部数を、ネットワーク３を介して印刷会社４のサーバ５に送る（ステップ１０３）。
【００２３】
サーバ５は、クライアントコンピュータ７からテキストデータ１１、画像データ１３、フォントサイズ、印刷部数を受信した後、受信したテキストデータ１１、画像データ１３を変換してＸＭＬデータ１７を作成し、データベース１５に保存する（ステップ１０４）。
【００２４】
サーバ５は、クライアントコンピュータ７で指定されたフォントサイズが、スタイルシート１９で指定されたフォントサイズと等しいかどうかを判定する（ステップ１０５）。
【００２５】
クライアントコンピュータ７で指定されたフォントサイズと、スタイルシート１９で指定されたフォントサイズが等しい場合、サーバ５は作成したＸＭＬデータ１７とスタイルシート１９、クライアントコンピュータ７で指定された印刷部数を組版システム２１に送る（ステップ１０６）。
【００２６】
クライアントコンピュータ７で指定されたフォントサイズと、スタイルシート１９で指定されたフォントサイズが異なる場合、サーバ５は、スタイルシート１９を用いて、クライアントコンピュータ７で指定されたフォントサイズのスタイルシート１９ａを作成する（ステップ１０７）。
【００２７】
サーバ５は、作成したＸＭＬデータ１７とスタイルシート１９ａ、クライアントコンピュータ７で指定された印刷部数を組版システム２１に送る（ステップ１０８）。
【００２８】
組版システム２１は、受信したＸＭＬ１７と、スタイルシート１９あるいは１９ａを変換して組版データを作成し、印刷機２３に組版データと印刷部数を送り、書籍２５の印刷を指示する（ステップ１０９）。
【００２９】
印刷機２３は、受信した組版データを基に、指定された印刷部数分の印刷を行い（ステップ１１０）、その後、製本処理等が行われ書籍２５が作成される。
【００３０】
ステップ１０４で作成したデータベース１５内のＸＭＬデータ１７を用いて、クライアントコンピュータ７はネットワーク３を介してサーバ５にフォントサイズ、印刷部数を指示することにより、さまざまなフォントサイズで書籍２５を印刷することが可能である。
【００３１】
本実施形態によれば、ネットワークを介して書籍を印刷するフォントを指定し、第１のスタイルシートを用いて印刷するフォントサイズに対応する第２のスタイルシートを生成することにより、同一の印刷用原データから、さまざまなフォントサイズを指定して書籍を印刷することが可能となる。
【００３２】
また、フォントサイズを変更したページのための第２のスタイルシートと印刷用の組版データは動的に生成するため、サーバ５は印刷用原データと第１のスタイルシートを用意するだけでよく、フォントサイズごとのスタイルシートや組版データを保存しておく必要はない。従って、サーバにおけるデータ量を低減することができる。
【００３３】
さらに、さまざまなフォントサイズの印刷に同一の印刷用原データを使用しているため、書籍のテキストや画像等を修正する場合、印刷用原データのみを修正するだけでよく、データの管理が容易にできる。
【００３４】
また、印刷用原データをＸＭＬデータとして持つことにより、書籍の印刷の他に、ＣＤ−ＲＯＭとしての配布、ＨＴＭＬ変換によるのＷＷＷでの提供、あるいは音声化等、さまざまな形態での情報提供が可能となる。
【００３５】
以上、添付図面を参照しながら本発明に係るページ管理システムに用いられるサーバの好適な実施形態について説明したが、本発明に係る例に限定されない。当業者であれば、特許請求の範囲に記載された技術的思想の範疇内において各種の変更例または修正例に想到し得ることは明らかであり、それらについても当然に本発明の技術的範囲に属するものと了解される。
【００３６】
例えば、書籍のフォントサイズだけでなく、文字および行間隔、ページ内のマージン、書籍の大きさ等も自由に変更できるようにしてもよい。
【００３７】
あるいは、フォントサイズを変更した書籍の印刷の指示は、出版社からだけではなく、例えば一般読者が家庭のパーソナルコンピュータからインターネットを介して行うことができるようにしてもよい。
【００３８】
【発明の効果】
以上、説明したように本実施によれば、容易に文字サイズ等の印刷条件を変更して書籍を印刷することが可能な印刷システムを提供することができる。
【図面の簡単な説明】
【図１】本発明の１実施の形態に係る印刷システムの概略構成図
【図２】印刷システムの書籍印刷における動作を示すフローチャート
【符号の説明】
１  印刷システム
３  ネットワーク
４  印刷会社
５  サーバ
６  出版社
７  クライアントコンピュータ
９  データベース
１１  テキストデータ
１３  画像データ
１５  データベース
１７  ＸＭＬデータ
１９  スタイルシート
２１  組版システム
２３  印刷機
２５  書籍
【図１】
2004288096.tif 000003
【図２】
2004288096.tif 000004